(57)【要約】      （修正有）【課題】生活空間の限られたスペースにおいて、ストレッチ・トレーニング用台座、インテリア用椅子、踏み台、階段、レジャー用マットなど多目的に使用できる用品を課題とした。【解決手段】弾力性のあるブロックを蛇腹状に連結させ、また連結部は面ファスナーを使用することで、形状を可変とし、積み上げ台座、椅子、踏み台、階段、マットなど多目的に使用できるようにした。さらに鉄粉、砂、水などを重石として使用できる容器を付加させることで台座を固定でき、棒状の金具を装着することで、鉄棒運動など用途を拡張できる。【選択図】図６
0003114757.tif 000002
【実用新案登録請求の範囲】
【請求項１】
ブロックを蛇腹状に連結・分断させることで、形状を可変とし、積み上げ台座、椅子、踏み台、階段、マットなど多目的に使用できるものである。
【考案の詳細な説明】
【考案の詳細な説明】
【技術分野】
【０００１】  生活全般に及ぶものであるが、主に健康・スポーツ用具としてのストレッチ・トレーニング用台座、インテリア用品としての椅子、踏み台、階段、レジャー用マットなど多目的に使用できることを想定する生活用具である。
【背景技術】
【０００２】  いわゆるストレッチ・トレーニング用台座、インテリア用椅子、踏み台、階段、レジャー用マットなどはそれぞれ別の分野の単体として存在していたが、これらの用途を汎用的に満たす用品はこれまでに存在しなかった。また単なる発泡スチロールなどでできたブロックは存在したが、これらを積み上げても固定させる手段がなく、使用時にもばらばらになって取り扱いに困るものであった。そしてブロック状のものを蛇腹式に連結させ、使用できるような用品はこれまで存在しなかった。
【考案が解決しようとする課題】
【０００３】  生活空間の限られたスペースにおいて、ストレッチ・トレーニング用台座、インテリア用椅子、踏み台、階段、レジャー用マットなど多目的に使用できる用品を課題とした。
【課題を解決するための手段】
【０００４】  弾力性のあるブロックを接着ベルトまたは面ファスナー等で蛇腹式・並列式に連結させることにより、ストレッチ・トレーニング用台座、インテリア用椅子、踏み台、階段、レジャー用マットなどに変形使用できるようにした。さらに鉄粉、砂、水などを固定用重石として使用できる容器を付加させることで台座を固定できたり、棒状の金具を装着することで、鉄棒運動など用途を拡張できる。
【考案を実施するための最良の形態】
【０００５】  発泡ウレタン、発泡ポリエチレンなど発泡体でできたブロックと、接するブロックの上端部を接着ベルトまたは面ファスナー等で連結する。さらに同ブロックと、次に接するブロックの下端部を同様に接着ベルトまたは面ファスナー等で連結する。こうしてブロック同士は蛇腹状に連結され、平たんまたは積み上げ式に形状を変えることが可能である。さらに側面または上面同士が面ファスナー等によってブロック同士が簡易に並列式に連結される。【０００６】  実施の一例として発泡ポリエチレンでできたブロック（図１）縦２０ｃｍ×横４０ｃｍ×高さ１０ｃｍを１２個用意する。この場合、サイズ、数量、素材は様々に変更可能である。用語規定としてブロックを縦方向に並べることを「行」と規定する。ブロックを高さ方向に積み上げることを「段」と規定する。ブロックを横方向に並べることを「列」と規定する。ブロックを連結してひとかたまりにした状態を「台」と規定する。このブロック本体（図１−Ａ）の行方向の上端部及び反対方向の下端部には面ファスナー状の突起が加工されている（図１−Ｂ）。このブロックの行方向にもうひとつのブロックを隣接させ上端部同士が面ファスナー状の突起が来るようにして面ファスナー状の突起の付着したベルト（図１−Ｃ）にて上端部同士を連結させる。ブロックのもう一方の下端部ともうひとつのブロックの下端部同士が同様にして面ファスナー状の突起の付着したベルトにて下端部同士を連結させる（図５、図６）。これを繰り返し１２行の蛇腹状に連結させたマット（図８）が完成する。このように連結された状態を１台とする。この状態から上方向に折り返していき１２段の積み上げ台座（図９）が完成する。【０００７】  こんどはこれを１２個ばらばらに分断する。このブロックの列方向の上端部及び下端部にはすべて面ファスナー状の突起が加工（図１−Ｄ）されており、面ファスナー状の突起の付着したベルト（図１−Ｅ）にて上端部同士及び下端部同士を連結させ、ブロック同士の列方向の連結を実現する（図７）。これを繰り返し１２列の並列状に連結させたマット（図１０）が完成する。ちなみにマジックテープとして一般に知られる面ファスナーにはループ面とフック面があり、ループ面とフック面を接触させることにより結合を可能とするのであるが、近年同一面にループ状突起とフック状突起が混在するものがあり同一のタイプの面同士で結合を可能とする。このタイプを使用した場合、ブロック列方向の側面同士を同じタイプの面ファスナーとして結合させることができる。【０００８】  またブロックは例えば６段×２台ブロックなどに積み上げられる。このようにして様々な形状の台座を複数台用意することにより例えば左右に６段のブロックを積み上げ、それぞれに両手をおき腕立て伏せなどの簡易なトレーニングの積み上げ台座（図１１）として使用する。またこの台座は上記蛇腹式のため、５段、４段と折りたたむことが可能であり、これによりトレーニングの負荷を調整できる。【０００９】  さらに鉄粉、砂、水などを重石として使用できるペットボトル状の容器をブロック中空部に装着付加させることで台座を固定できたり、直径約３ｃｍ×長さ約１ｍの棒状の金具をブロックの中空部に貫通させ両端をブロックに装着固定（図１２）することで、簡易な鉄棒運動など用途を拡張できる。【００１０】  そして３段×３行の踏み台（図１３）や、３段×１行の形状にして椅子（図１４）としても使用される。また、３台の台座を組み合わせ２段、４段、６段の階段（図１５）として使用できる。【００１１】  さらに３行×４列の台座を平坦に並列させることで６０ｃｍ×１６０ｃｍ×１０ｃｍのレジャー用マット（図１６）として使用される。これは地面に複数セット敷き詰めることにより、仮設の床面としても使用されうる。【００１２】  なおこの考案はインテリアとしての使用を考慮して、白、黒、ピンク、イエロー、ブルーなどカラフルな色合いや、中空部の形状も丸型、楕円、角型などに展開されうるものとする。
【考案の効果】
【００１３】  ブロックを蛇腹式に連結させることにより、また面ファスナーなどで連結、分断をすることにより縦・横・高さ及び形状を自由に調整することが可能となるため、トレーニング用途としては負荷を調整することが可能となり、踏み台などにおいても高さの調整が可能となる。そして平面状に敷くことによりマットとなる。また使用者の工夫により、さまざまな台座としての用途が期待される。たとえば、体育教育においては、高さを調整しての踏み台昇降や、馬とび用台座、鉄棒下に本考案を階段状にして配置することにより、逆上がりの補助用具等としての使用なども考えられる。さらに素材の特性として、水に浮かべることができるため、簡易いかだとしても利用が期待できる。
【図面の簡単な説明】
【図１】ブロックの斜視図である。
【図２】ブロックの上面図である。
【図３】ブロックの側面図である。
【図４】ブロックの正面図である。
【図５】ブロックの蛇腹状連結時の上面図である。
【図６】ブロックの蛇腹状連結時の側面図である。
【図７】ブロックの蛇腹状連結時の正面図である。
【図８】行方向への並列連結例である。
【図９】段方向への積み上げ連結例である。
【図１０】列方向への並列連結例である。
【図１１】使用例としての積み上げ台座である。
【図１２】使用例としての鉄棒である。
【図１３】使用例としての踏み台である。
【図１４】使用例としての椅子である。
【図１５】使用例としての階段である。
【図１６】使用例としてのマットである。
【符号の説明】
Ａ  ブロック本体
Ｂ  ブロック横辺の面ファスナー状突起
Ｃ  裏面に面ファスナー状突起の付着したベルト（横辺）
Ｄ  ブロック縦辺の面ファスナー状突起
Ｅ  裏面に面ファスナー状突起の付着したベルト（縦辺）
【図１】
0003114757.tif 000003
【図２】
0003114757.tif 000004
【図３】
0003114757.tif 000005
【図４】
0003114757.tif 000006
【図５】
0003114757.tif 000007
【図６】
0003114757.tif 000008
【図７】
0003114757.tif 000009
【図８】
0003114757.tif 000010
【図９】
0003114757.tif 000011
【図１０】
0003114757.tif 000012
【図１１】
0003114757.tif 000013
【図１２】
0003114757.tif 000014
【図１３】
0003114757.tif 000015
【図１４】
0003114757.tif 000016
【図１５】
0003114757.tif 000017
【図１６】
0003114757.tif 000018
【手続補正書】
【提出日】平成17年6月25日(2005.6.25)
【手続補正１】
【補正対象書類名】実用新案登録請求の範囲
【補正対象項目名】全文
【補正方法】変更
【補正の内容】
【実用新案登録請求の範囲】
【請求項１】
複数のブロックを連結ベルトで連結した上で蛇腹状に重ね合わせてなる蛇腹式ブロック。